【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて、チャネルの第１のセットのうちの少なくとも１つを介してパケットデータを受信するように動作するワイヤレス装置であって、前記システムは、複数の送信チャネルにわたってパケットデータ送信および低遅延送信をサポートするように適応され、前記ワイヤレス装置は、
シグナリングチャネルを介してメッセージを受信し、受信したメッセ―ジから目標受信者情報およびコーディング情報を判断するように動作するプロセッサと、ここにおいて、前記シグナリングチャネルは、前記チャネルの第１のセットから分離される、
前記目標受信者情報および前記コーディング情報に従って前記チャネルの第１のセットのうちの少なくとも１つを介してパケットデータを受信するためのデータレートを計算するように動作するデータレート決定ユニットと、
送信局に前記計算したデータレートを送るように動作する送信機と
を備えるワイヤレス装置。
【請求項２】
前記ワイヤレス通信システムは、高レートパケットデータ送信をサポートするように適応される、請求項１に記載のワイヤレス装置。
【請求項３】
前記処理装置と結合されたバッファと、ここにおいて、前記バッファは、前記チャネルの第１のセットの少なくとも一つを介して受信されたパケットデータを保存するように動作する；
前記処理装置と結合された復号器と、ここにおいて、前記復号器はワイヤレス装置が目標受信者である場合には受信されたデータパケットを復号し、そして前記ワイヤレス装置が前記目標受信者でない場合にはデータパケットを無視するように動作する；
をさらに備える請求項１または２に記載のワイヤレス装置。
【請求項４】
前記目標受信者情報は複数の目標受信者を識別する、請求項１乃至３のいずれか１項に記載のワイヤレス装置。
【請求項５】
前記コーディング情報は、送信局によって予め決定され、前記パケットデータを符号化するために使用され、前記装置は、
前記処理装置と結合した復号器、をさらに備え、前記復号器は、受信パケットデータを復号するために前記コーディング情報に応答する、請求項１に記載のワイヤレス装置。
【請求項６】
前記処理装置と結合したメモリ保存デバイス、をさらに備え、前記メモリ保存デバイスは、復号器を制御するように動作するコンピュータ読出し可能な命令を保存する請求項５に記載のワイヤレス装置。
【請求項７】
ワイヤレス通信システムにおいて、チャネルの第１のセットのうちの少なくとも１つを介してパケットデータを受信するワイヤレス装置の方法であって、前記システムは、複数の送信チャネルにわたってパケットデータ送信および低遅延送信をサポートし、前記方法は、
シグナリングチャネルを介してメッセージを受信し、受信したメッセ―ジから目標受信者情報およびコーディング情報を判断することと、ここにおいて、前記シグナリングチャネルは、前記チャネルの第１のセットから分離される；
前記目標受信者情報および前記コーディング情報に従って前記チャネルの第１のセットのうちの少なくとも１つを介して受信パケットデータのためのデータレートを計算することと；
送信局に前記計算したデータレートを送ることと；
を備える方法。
【請求項８】
前記ワイヤレス通信システムは、高レートパケットデータ送信をサポートしており、前記データレートは、前記チャネルの第１のセットのうちの少なくとも１つにわたって前記高レートパケットデータ送信と関連づけられる、請求項７に記載の方法。
【請求項９】
前記データレートは、前記チャネルの第１のセットのうちの少なくとも１つの品質および前記送信電力に比例する、請求項７または請求項８に記載の方法。
【請求項１０】
ワイヤレス通信システムにおいて、チャネルの第１のセットのうちの少なくとも１つを介してパケットデータを送信するように動作するワイヤレス装置であって、前記システムは、複数の送信チャネルにわたってパケットデータ送信および低遅延送信をサポートするように適応され、前記ワイヤレス装置は、
前記チャネルの第１のセットのうちの少なくとも１つにわたってパケットデータを送信し、チャネルの第２セットのうちの少なくとも１つにわたって低遅延データを送信するように動作するプロセッサと、ここにおいて、前記プロセッサは、目標受信機に、別個のシグナリングチャネルを介してデータレートを決定するための目標受信者情報およびコーディング情報を含んでいるメッセージを送信し、それに応じて、前記目標受信機からチャネルの第１セットのうちの少なくとも１つについてのデータレートを受信するように構成され、前記データレートは、前記メッセージのうちの１つまたは複数における前記情報に少なくとも一部基づいており、前記目標受信機は、複数の受信者のうちの少なくとも１つである；
前記処理装置と結合し、前記受信したデータレートにしたがってチャネルの第１のセットのうちの少なくとも１つにわたって前記パケットデータを送信するために送信データレートを選択するように構成された送信機と；
を備える装置。
【請求項１１】
ワイヤレス通信システムにおいて、チャネルの第１のセットのうちの少なくとも１つを介してパケットデータを送信するワイヤレス装置のための方法であって、前記システムは、複数の送信チャネルにわたってパケットデータ送信および低遅延送信をサポートし、前記方法は、
前記チャネルの第１のセットのうちの少なくとも１つを介してパケットデータを送信し、チャネルの第２セットのうちの少なくとも１つにわたって低遅延データを送信することと；
目標受信機に、シグナリングチャネルを介してデータレートを決定するために目標受信者情報およびコーディング情報を含むメッセージを送信することと、ここにおいて、前記目標受信機は、複数の受信機のうちの少なくとも１つであり、前記シグナリングチャネルは、前記チャネルの第１のセットから分離されている；
前記目標受信機から、前記チャネルの第１のセットのうちの少なくとも１つについてのデータレートを受信することと、前記データレートは、前記メッセージのうちの１つまたは複数における前記情報に少なくとも部分的に基づいている；そして、
前記受信したデータレートに従って前記チャネルの第１のセットのうちの少なくとも１つにわたって、パケットデータを送信するために送信データレートを選択することと；
を備える装置。
【請求項１２】
前記メッセージは、前記パケットデータについてのコーディングスキーム(クレームでは符号化体系)をさらに識別する、請求項１１に記載の方法。
【請求項１３】
複数の移動受信機からデータ要求を受信すること、そして
前記データ要求に従って送信スケジュールを決定すること、
をさらに備える請求項１１または１２に記載の方法。
【請求項１４】
前記複数の移動受信機のそれぞれに優先レベルを割り当て、そして
優先レベルに基づいて前記複数の移動受信機の中でトラフィックスケジュールを決定する、請求項１３に記載の方法。
【請求項１５】
高い優先度は、前記複数の移動受信機の他のものよりもより少ない干渉を経験する移動受信機に与えられる、請求項１４に記載の方法。
【請求項１６】
複数の送信チャネル上でパケットデータおよび低遅延データの送信を動作するワイヤレス通信システムであって、前記システムは、
請求項１０に記載のワイヤレス装置と；
請求項１に記載のワイヤレス装置または複数のそのようなワイヤレス装置と；
前記複数の送信チャネル内のチャネルの第１セットと、ここにおいて、前記チャネルの第１のセットは、パケットデータ送信に割り当てられる；
前記複数の送信チャネル内のチャネルの第２セットと、ここにおいて、前記チャネルの第２のセットは、低遅延データ送信に割り当てられる；
前記複数の送信チャネル内のシグナリングチャネルと、なお、前記シグナリングチャネルは、前記チャネルの第１のセットと前記チャネルの第２のセットから分離されており、メッセージ送信に割り当てられ、各メッセージは、データレートを決定するために、目標受信者情報およびコーディング情報を含む、
ワイヤレス通信システム。
【請求項１７】
第１のメッセージは、関連づけられた第１のパケットデータフレームと同時にシグナリングチャネル上で送信され、前記第１のメッセージは、前記第１のパケットデータフレームと関連づけられた第１のパケットデータ目標受信者を識別し、好ましければ、前記第１のメッセージは、前記第１のパケットデータの送信に割り当てられた前記チャネルの第１のセットのサブセットを識別する、請求項１６に記載のワイヤレス通信システム。